(57)【要約】【課題】携帯端末を用いて被制御対象物の多機能化を損なうことなくそのコントローラ操作部の小型化・簡素化を図り、被制御対象物自体の製造コスト低減や設置条件の緩和を図ることを目的とするコントローラ等を提供する。【解決手段】被制御対象物を制御するコントローラ１２０であって、ユーザーアプリケーションプログラムをダウンロード可能な機能を有する携帯端末１４０の当該ダウンロードしたプログラムに基づき当該携帯端末１４０から発信したワイヤレスの制御信号を受信する受信手段１２４ｂを備えると共に、当該受信手段１２４ｂで受信した制御信号に基づきコントローラ１２０を操作する制御手段１２１とを備えている。【選択図】        図２
2004241993.tif 000002
【特許請求の範囲】
【請求項１】
被制御対象物を制御するコントローラであって、
ユーザーアプリケーションプログラムをダウンロード可能な機能を有する携帯端末の当該ダウンロードしたプログラムに基づき当該携帯端末から発信したワイヤレスの制御信号を受信する受信手段を備えると共に、当該受信手段で受信した制御信号に基づきコントローラを操作する制御手段を備えたことを特徴とするコントローラ。
【請求項２】
被制御対象物を制御するコントローラを操作するための携帯端末であって、ユーザーアプリケーションプログラムをダウンロード可能な機能を有し、当該ダウンロードしたプログラムに基づき、前記コントローラを操作するワイヤレスの制御信号を送信する送信手段を有したことを特徴とする携帯端末。
【請求項３】
被制御対象物を制御するコントローラと当該コントローラを操作する携帯端末とからなるコントローラ操作システムであって、
前記携帯端末はユーザーアプリケーションプログラムをダウンロード可能な機能を有すると共に、少なくとも当該プログラムに基づき前記コントローラを操作する制御信号をワイヤレスで送信する送信手段を備え、
前記コントローラは前記携帯端末から送信されたワイヤレスの制御信号を受信する受信手段と、当該受信手段によって受信された受信信号に基づき前記コントローラを操作する制御手段を備えたことを特徴とするコントローラ操作システム。
【請求項４】
前記コントローラの操作部は電源スイッチと、赤外線受光部又は赤外線投受光部の何れか一つのみとを備えたことを特徴とする、請求項１に記載のコントローラ。
【請求項５】
前記コントローラは、前記携帯端末に前記コントローラが制御する被制御対象物の運転状態をワイヤレスで送信する送信手段を備えたことを特徴とする、請求項１に記載のコントローラ。
【請求項６】
前記携帯端末は請求項５に記載のコントローラからワイヤレスで送信されたコントローラの被制御対象物の運転状況に関するデータを受信する受信手段を備え、当該受信手段によって受信されたデータをストレージする記憶手段を更に備えたことを特徴とする、請求項２に記載の携帯端末。
【請求項７】
前記携帯端末は、請求項５に記載のコントローラからワイヤレスで送信されたコントローラが制御する被制御対象物の運転状況に関するデータを送信する送信手段を備えたことを特徴とする、請求項２に記載の携帯端末。
【請求項８】
前記携帯端末は、請求項７に記載の送信手段に加えて、請求項５に記載のコントローラから送信された運転状況に関するデータを正常時の運転状況と異常時の運転状況とに判別すると共に異常時の運転状況に関する運転データを特定の運転状況監視サーバーに送信するプログラムが前記ユーザーアプリケーションプログラムメモリにインストールされたことを特徴とする、請求項２に記載の携帯端末。
【請求項９】
前記コントローラが制御する被制御対象物はボイラからなることを特徴とする、請求項５に記載のコントローラ。
【請求項１０】
前記被制御対象物は農業用ハウスの加温器コントローラからなることを特徴とする、請求項５に記載のコントローラ。
【請求項１１】
前記コントローラが制御する被制御対象物はエアコンプレッサからなることを特徴とする、請求項５に記載のコントローラ。
【請求項１２】
前記コントローラが制御する被制御対象物は食洗器からなることを特徴とする、請求項１に記載のコントローラ。
【請求項１３】
前記コントローラが制御する被制御対象物は、加熱型殺菌消毒器からなることを特徴とする、請求項５に記載のコントローラ。
【請求項１４】
前記コントローラが制御する被制御対象物は加熱調理器であることを特徴とする、請求項１に記載のコントローラ。
【発明の詳細な説明】
【０００１】
【発明が属する技術分野】
本発明はボイラや食洗器などに使用するコントローラ及びこのコントローラを操作する携帯端末並びにコントローラ操作システムに関する。
【０００２】
【従来の技術】
例えば、ボイラや農業用ハウスの加温器、業務用食洗器等にはこれらの機能を制御するコントローラが備えつけられている。そして、近年例えばボイラ、農業用ハウス加温器、業務用食洗器又は加熱調理器等自体の機能が向上するにつれて、これら被制御対象物の機能を十分に発揮させるためにコントローラの操作部（マンマシンインターフェース部）も様々なスイッチや表示器が設けられるようになった。これに伴い、コントローラの操作部自体も大型化・複雑化してきた。このような多機能対応型コントローラの操作パネルは、使い慣れれば当該コントローラの機能を十分に発揮する上で役立つものである。しかし、コントローラ自体が大型化するに伴い、コントローラ操作部の金型製作のコストもかかるようになってきた。
【０００３】
また、コントローラで被制御対象物を制御するに当たってその制御をやり易くするために、当該コントローラに専用リモコンを備えてこのリモコンを用いて被制御対象物を制御する場合がある。かかるリモコンは、例えばテレビのリモコン等において用いられるように赤外線を利用したタイプのものが一般的である。このようなリモコンを製造するに当たって、被制御対象物を製造している例えばボイラメーカーやハウス加温器メーカーは、リモコン自体の機能には大差ないが各社独自の特徴を出すために外観の異なるリモコンを各社ごとに製造することが一般的に行なわれている。
【０００４】
一方、近年の携帯電話やＰＨＳに代表される携帯端末の普及度は急速に広がっており、大抵の人が携帯端末を身に付けている状況にある。特に若い人には携帯端末のテンキーやコマンドキーを目視することなく親指だけで自在に操作できるように使い慣れている人が多い。また、このような携帯端末を利用して様々な装置の遠隔監視や制御を行うような技術も知られている。ここでこれらの関連技術について以下に紹介する。
（１）  携帯電話の液晶ディスプレイ内に赤外線発光／受光素子を配置してワイヤレスによるデータ伝送を行うための技術が知られている（例えば、先行特許文献１参照。）。
（２）  ユーザアプリケーションのプログラムを携帯端末にダウンロードする技術が知られている。これによって、ユーザーが操作する携帯電話でインターネット上のさまざまな情報サイトにアクセスして所望のサービスを利用するようになっている。なお、ここでいう情報サイトとはあらかじめ登録されているレストランの場所やメニューなどの情報を提供する情報サイト（サーバーシステム）である（例えば、先行特許文献２参照。）。
（３）  携帯電話に自動お湯はりを指示するモードを備え、携帯電話から自動お湯はりを遠隔で指示する技術が知られている。また、この技術においては給湯器のコントローラに入浴プログラムをインストールすることが可能となっている（例えば、先行特許文献３参照。）。
（４）  携帯電話に赤外線送受信機能を持たせ、この赤外線送受信機能を用いて駐車場管理用コントローラを制御して駐車場料金の課金をする技術が知られている（例えば、先行特許文献４参照。）。
（５）  携帯電話に赤外線受光部を備え、保守データを吸い上げて修理の納期優先や価格優先の選択をした後、赤外線データのやりとりを介してサービスサーバーにデータを送信する技術が知られている（例えば、先行特許文献５参照。）。
（６）  携帯電話を介してコジェネレーション装置の運転状態を監視する技術が知られている。そして、携帯電話から特定の運転モードを送信してコジェネレーション装置を制御する技術が同様に知られている（例えば、先行特許文献６参照。）。
（７）  火災等が起きたときホームコントローラから携帯電話に連絡し、当該携帯電話によってホームコントローラを制御する技術が知られている（例えば、先行特許文献７参照。）。
（８）  制御設備から異常の知らせを携帯電話に伝える技術が知られている。また、監視通報装置に対して異常の知らせを行うプログラムが携帯電話に内蔵されている技術が知られている（例えば、先行特許文献８参照。）。
（９）  温水熱源器の情報を携帯電話に現場で一時的に書き込み、これを管理センターに持ち帰って携帯電話をパソコンにつなぎプリントアウトする技術が知られている（例えば、先行特許文献９参照。）。
（１０）  携帯電話を持った所持者がある一定エリアに帰ってくるとその携帯電話からホームコントローラに信号が送信され、ホームコントローラを制御する技術が知られている（例えば、先行特許文献１０参照。）。
（１１）  異常があった場合に遠隔地の携帯電話からそのコントローラを制御する技術が知られている（例えば、先行特許文献１１参照。）。
【０００５】
【先行特許文献１】
特開２０００−１１５０７９号公報（第５−７頁、図１）
【先行特許文献２】
特開２００２年−７２６８号公報（第４−７頁、図１）
【先行特許文献３】
特開２００２−１７４４５３号公報（第４−５頁、図１）
【先行特許文献４】
特開平１０−１３５９１０号公報（第４−５頁、図１）
【先行特許文献５】
特開２００２−２９７８０９号公報（第７−９頁、図１）
【先行特許文献６】
特開２００２−２４７７６７号公報（第４−５頁、図２）
【先行特許文献７】
特開２００１−１２７８９７号公報（第４−５頁、図１）
【先行特許文献８】
特開２００２−１１１８９２号公報（第２−４頁、図１）
【先行特許文献９】
特開２００１−３１８９５０号公報（第７頁、図１）
【先行特許文献１０】
特開２００１−１８９９７６号公報（第４−５頁、図１）
【先行特許文献１１】
特開２００１−３６６５１号公報（第３−４頁、図１）
【発明が解決しようとする課題】
上述したようにコントローラの高機能化に伴う操作パネルの大型化・複雑化はコントローラ操作パネルの金型コストを高くするため、このような金型コストへの投資を少なくすることが要求されている。また、リモコン製造メーカーにとっては被制御対象物自体を製造する製造メーカー毎に当該メーカー独自のリモコンを製造するのでは、そのつど短期間で当該製造メーカー独自のリモコンを開発しなければならず、リモコンの金型コストも高くつく。
【０００６】
更に、コントローラ操作部はマンマシンインターフェース部としての重要な機能を果たしているので、コントローラ操作部の取付け位置は被制御対象物における操作のし易い場所に限定される。しかしながら、被制御対象物のコントローラ自体が大型化してコントローラ操作部も大型化することに伴って、コントローラ操作部は被制御対象物の限定された位置に配置される。このように被制御対象物に占めるコントローラ操作部の配置場所が限定されることで、被制御対象物の設計上の自由度を制約する場合が多くなっている。
【０００７】
また、リモコン自体の大きさも大型化して製造コストが高くなっている。その上、リモコン自体は専用品であるので、例えばアルバイトの店員などのように操作者が頻繁に入れ替わる場合、リモコンの操作方法を操作者ごとに毎回を教えなければならず、かなりの時間を費やしてしまう。同様に、専用品であるリモコンの操作方法に慣れるまである程度の時間を要し、かつこの間リモコン操作に当たって操作マニュアルを確認しつつリモコンを目視しながら操作しなければならないので、被制御対象物を制御するに当たってのリモコン操作時間を余分に必要とする。
【０００８】
更には、リモコン自体は専用品であるため、リモコンを破損した場合には代替品を入手するまで操作者は慣れない操作パネルを直接使用しなければならず、使い慣れたリモコンをその間使うことができなくなる。そのため、被制御対象物を制御するに当たってコントローラの操作に手間取ってしまう。
【０００９】
また、専用リモコンを紛失したりすると、代替リモコンが無いのでリモコンを探すためにかなりの無駄時間を費やしてしまう。
【００１０】
以上のように被制御対象物の高機能化に伴い、そのコントローラ操作部とコントローラ操作用リモコンの使い難さに関する様々な問題が顕在化してきた。
【００１１】
なお、上述した数々の先行特許文献は以下のような理由によって本発明の課題を解決するには至らない技術であることが分かる。
【００１２】
先行特許文献１には、赤外線を利用したデータ送受信機能を携帯端末に持たせた技術に関するものであるが、赤外線投受光素子を携帯端末の液晶ディスプレイに設けることで携帯端末の外観構成を小型化した点が開示されているに過ぎず、携帯端末を用いて被制御対象物のコントローラ操作部を小型化・簡素化する点については開示も示唆もされていない。
【００１３】
また、先行特許文献２は、ユーザー端末にユーザーアプリケーションプログラムをダウンロードする機能を単に記載したものに過ぎない。即ち、例えばレストラン検索サービス等のプログラムが例示され、これらのプログラムに基づき予め登録されているレストランの場所やメニューなどの情報を当該情報サイト（サーバーシステム）から引き出す内容が記載されているに過ぎず、携帯端末を用いて被制御対象物のコントローラ操作部を小型化・簡素化する点については開示も示唆もされていない。
【００１４】
また、先行特許文献３には、携帯電話から自動お湯はりを指示するモードを選択できる点と入浴プログラムをインストール可能となっている点が記載されているが、入浴プログラムのインストール先はコントローラ自体であって携帯電話ではない。従って、携帯端末を用いてコントローラの操作部を小型化・簡素化する点については開示も示唆もされていない。
【００１５】
また、先行特許文献４には、携帯電話に赤外線送受信機能を持たせ、この携帯電話を用いて駐車場の装置管理及び駐車場の課金管理を行う点が記載されている。しかしながら、携帯電話にプログラムをダウンロードするような機能の記載は一切なく、また、コントローラに携帯電話を使わずタッチパネルを利用するという面倒な利用の仕方が記載されている。従って、携帯端末を用いてコントローラの操作部を小型化・簡素化する点については開示も示唆もされていない。
【００１６】
また、先行特許文献５には、携帯電話に赤外線受光部を備え、保守データを吸い上げて修理の納期を優先すべきかを価格を優先すべきかの選択をした後にサービスサーバーにデータを送信する内容が記載されているが、単に携帯電話と被制御対象物のコントローラとの間で赤外線によるデータのやりとりを行うだけの記載に留まり、携帯端末を用いて被制御対象物のコントローラ操作部を小型化・簡素化する点については開示も示唆もされていない。
【００１７】
また、先行特許文献６には、携帯電話を介してコジェネレーション装置の運転状態を監視し、かつ携帯電話から特定の運転モードを送信してコジェネレーション装置を制御する点が開示されているが、これは携帯電話を介したコジェネレーション装置の安全監視システムを単に開示したものに過ぎず、携帯端末を用いてコジェネレーション装置のコントローラ操作部を簡素化・小型化する点については開示も示唆もされていない。
【００１８】
また、先行特許文献７には、火災等が起きたときに携帯電話に通報し，携帯電話によってホームコントローラを制御する機能が記載されているが、これも携帯電話を安全上の監視システムに利用したものに過ぎず、携帯端末を用いてコントローラ操作部を小型化・簡素化する点については開示も示唆もされていない。
【００１９】
また、先行特許文献８は、監視設備からの異常の知らせを携帯電話に伝える技術であり、当該公報には監視通報装置に対して異常状態の発生を知らせるプログラムが携帯電話に内蔵されている点が記載されている。しかしながら、携帯電話に内蔵されたプログラムは異常監視の発報に関するプログラムであり、携帯端末を用いて監視設備自体のコントローラ操作部の小型化・簡素化を図る点については開示も示唆もされていない。
【００２０】
また、先行特許文献９には、温水熱源機の情報を現場で携帯電話に一時的に書き込み、これを監視センターに持ち帰ってプリントアウトする機能が記載されているに過ぎず、携帯電話を用いて温水熱源機のコントローラ操作部を小型化・簡素化する点については開示も示唆もされていない。
【００２１】
また、先行特許文献１０は、特定の携帯電話を所持している者がある一定エリアに戻ってくると携帯電話からホームコントローラに信号が送信されてホームコントローラを制御するシステムに関する技術であるが、かかる携帯電話を用いてホームコントローラ操作部を小型化・簡素化する点については記載も示唆もされていない。
【００２２】
また、先行特許文献１１には、遠隔地にいても監視対象物の異常を発見した場合に携帯電話から被制御対象物を制御する点が記載されているが、携帯電話を用いて被制御対象物のコントローラ操作部を小型化・簡素化する点については開示も示唆もされていない。
【００２３】
本発明の目的は、携帯端末を用いて被制御対象物の多機能化を損なうことなくそのコントローラ操作部の小型化・簡素化を図り、被制御対象物自体の製造コスト低減や設計条件の緩和を図ることを目的とするコントローラ及びコントローラを操作する携帯端末並びに携帯端末によるコントローラ操作システムを提供することにある。
【００２４】
【課題を解決するための手段】
上述の課題を解決するために、本発明の請求項１に記載のコントローラは、被制御対象物を制御するコントローラであって、ユーザーアプリケーションプログラムをダウンロード可能な機能を有する携帯端末の当該ダウンロードしたプログラムに基づき当該携帯端末から発信したワイヤレスの制御信号を受信する受信手段を備えると共に、当該受信手段で受信した制御信号に基づきコントローラを操作する制御手段を備えたことを特徴としている。
【００２５】
また、本発明の請求項２に記載の携帯端末は、被制御対象物を制御するコントローラを操作するための携帯端末であって、ユーザーアプリケーションプログラムをダウンロード可能な機能を有し、当該ダウンロードしたプログラムに基づき、前記コントローラを操作するワイヤレスの制御信号を送信する送信手段を有したことを特徴としている。
【００２６】
また、本発明の請求項３に記載のコントローラ操作システムは、被制御対象物を制御するコントローラと、当該コントローラを操作する携帯端末とからなるコントローラ操作システムであって、前記携帯端末はユーザーアプリケーションプログラムをダウンロード可能な機能を有すると共に、少なくとも当該プログラムに基づき前記コントローラを操作する制御信号をワイヤレスで送信する送信手段を備え、前記コントローラは前記携帯端末から送信されたワイヤレスの制御信号を受信する受信手段と、当該受信手段によって受信された受信信号に基づき前記コントローラを操作する制御手段を備えたことを特徴としている。
【００２７】
ユーザーアプリケーションプログラムをダウンロード可能な携帯端末に被制御対象物を制御するコントローラの操作プログラムをダウンロードしてこの携帯端末で当該コントローラを操作するようにした。
【００２８】
そのため、従来、被制御対象物自体の高機能をコントローラに発揮させるために大型かつ複雑な操作表示部を当該コントローラに設けていたが、本発明の場合、コントローラの操作を携帯端末で行うことができるのでこれらの複雑かつ大型化したコントローラ操作部を被制御対象物に設ける必要がない。
【００２９】
即ち、被制御対象物には携帯端末から発信されたワイヤレス信号の受信部を少なくとも有していれば良いので、コントローラ自体を被制御対象物のどのような場所にでも配置できるようになり、コントローラ配置上の制約を受けなくて済む。そのため、被制御対象物の設計の自由度が向上する。
【００３０】
また、複雑なコントローラ操作部を被制御対象物に備えなくて良いので、コントローラ製作上の金型コストを低減することができる。また、コントローラ製造依頼に対して短納期で製品を納品することができるようになる。
【００３１】
また、コントローラを操作する専用リモコンを用いず携帯端末によりコントローラを操作するので、被制御対象物の製造メーカーごとに専用品である独自のリモコンを製造しなくて済み、リモコン製造に要する金型コストを省くことができる。
【００３２】
また、従来のように専用品であるリモコンの操作に慣れるまで時間を要することがなくなる。即ち、携帯電話は一般に広く普及しており、各自が使い慣れた自分の携帯端末を用いてコントローラを操作することができるので、専用リモコンの操作方法を覚える必要がなく、コントローラの操作を短期間で習熟することができるようになる。また、コントローラの操作者が頻繁に入れ替える環境下においてもコントローラの操作方法や専用リモコンの操作方法を教育する時間を短縮することができる。
【００３３】
また、専用リモコンを紛失したりして当該専用リモコンを探すような手間を省くことができる。更に、専用リモコンを破損した場合に代替品を入手するまで慣れないコントローラ操作部自体の操作を行う必要が無くなり、その上、代替品を購入するコストを省くこともできる。
【００３４】
また、本発明の請求項４に記載のコントローラは、請求項１に記載のコントローラにおいて、前記コントローラの操作部は電源スイッチと、赤外線受光部又は赤外線投受光部の何れか一つのみとを備えたことを特徴としている。
【００３５】
極めて簡素な操作部を備えながら携帯端末を介して多機能のコントローラ操作を行うことができる。また、シンプルなコントローラ操作部であるのでコントローラ自体に関する製造金型のコスト低減を図ると共に、被制御対象物内におけるコントローラ配置の自由度が高まり、被制御対象物の小型化を達成できる。
【００３６】
また、本発明の請求項５に記載のコントローラは、請求項１に記載のコントローラにおいて、前記コントローラは前記携帯端末に前記コントローラが制御する被制御対象物の運転状態をワイヤレスで送信する送信手段を備えたことを特徴としている。
【００３７】
コントローラが携帯端末に被制御対象物の運転状況をワイヤレスで送信することができるので、被制御対象物の運転状況を確実に判断することができる。また、コントローラと監視装置との間を配線する必要がなく、かつモデム等を介して特別な電話回線で接続する必要もない。従って、設備設置のコスト低減に貢献することができる。
【００３８】
また、本発明の請求項６に記載の携帯端末は、請求項２に記載の携帯端末において、前記携帯端末は請求項５に記載のコントローラからワイヤレスで送信されたコントローラの被制御対象物の運転状況に関するデータを受信する受信手段を備え、当該受信手段によって受信されたデータをストレージする記憶手段を更に備えたことを特徴としている。
【００３９】
携帯端末がコントローラの被制御対象物の運転状況に関するデータをストレージすることができるので、被制御対象物の状態を常に正確に診断することができ、かつ被制御対象物の最適な運転状況と比較することも可能となり、経験の少ないメンテナンス要員であっても正確な故障診断を行うことができる。
【００４０】
また、本発明の請求項７に記載の携帯端末は、請求項２に記載の携帯端末において、前記携帯端末は、請求項５に記載のコントローラからワイヤレスで送信されたコントローラが制御する被制御対象物の運転状況に関するデータを送信する送信手段を備えたことを特徴としている。
【００４１】
携帯端末が被制御対象物の運転状況に関する運転データを送信することができるようになっているので、このような運転状況に関するデータを中央監視装置等に送り、故障診断に役立てることができる。
【００４２】
また、本発明の請求項８に記載の携帯端末は、請求項２に記載の携帯端末において、前記携帯端末は、請求項７に記載の送信手段に加えて、請求項５に記載のコントローラから送信された運転状況に関するデータを正常時の運転状況と異常時の運転状況とに判別すると共に異常時の運転状況に関する運転データを特定の運転状況監視サーバーに送信するプログラムが前記ユーザーアプリケーションプログラムメモリにインストールされたことを特徴としている。
【００４３】
携帯端末が被制御対象物の異常時の運転状況に関する運転データを特定の運転状況監視サーバーに送信することができるので、被制御対象物の異常発生を迅速に判断することができる。
【００４４】
また、本発明の請求項９に記載のコントローラは、請求項５に記載のコントローラにおいて、前記コントローラが制御する被制御対象物はボイラからなることを特徴としている。
【００４５】
被制御対象物がボイラからなるので、携帯端末を介してボイラのコントローラを操作することができ、ボイラを設置するに当たってボイラ自体の省配線化を図ることが可能となる。即ち、従来、ボイラと中央監視センターとの間をＲＳ４８５などの配線によって接続していたが、携帯端末を利用することによってボイラの運転状況を携帯端末のワイヤレス送受信機能を介して中央監視センターに送ることができ、ＲＳ４８５等の配線やこれに関する接続部分を特別に設ける必要がない。
【００４６】
また、ボイラの複数台数制御を行うに当たって、例えば設備の増設に応じてボイラの台数を増やす場合などに監視回線の特別な追加配線を行う必要がなく、ボイラの台数増設に容易に対応することができる。
【００４７】
更に、携帯端末によってボイラの運転状況を中央監視センターに容易に送ることができ、これによってボイラのメンテナンス要員やサービス要員が経験不足であってもボイラの故障診断等を容易に行うことができる。
【００４８】
また、ボイラのアプリケーション毎の温度設定等に関する運転データを中央監視センターから携帯端末を介して受信することができ、かつその受信したデータをワイヤレスで携帯端末からコントローラに送ることができる。それによって、経験不足な者であってもアプリケーションごとに最適な運転データをボイラのコントローラに送信することができる。
【００４９】
また、本発明の請求項１０に記載のコントローラは、請求項５に記載のコントローラにおいて、前記被制御対象物は農業用ハウスの加温器コントローラからなることを特徴としている。
【００５０】
コントローラがハウス加温器コントローラの場合、従来のようにハウス加温器コントローラをモデムや電話回線等を介して中央管理センターに接続する必要がない。即ち、加温器を管理する専用の電話回線が不要となり、これに関する設備投資上のコスト低減に貢献する。
【００５１】
また、ハウス加温器コントローラの設定温度等のスケジュール管理データを携帯端末からハウス加温器にワイヤレスで送信することができるので、例えば農協などに設置された中央管理センターからデータを収集することで作物の最適出荷時期に応じた作物生育に関する最適なスケジュール管理が可能となる。更に、誰もが使い慣れた携帯端末を介してハウス加温器コントローラを制御できるので、このようなシステムを導入する農家が急速に増え、従来のように専用の電話回線を介して生産調整を行っていた農家の数に比べて生産調整を行う農家の数を急激に増やし、作物の生産調整を更にやり易くする。
【００５２】
これによって、例えば農協等が作物の需要と供給のバランスを検討しながら最適な出荷時期を各農家に割り振ることができ、地域の作物の品質向上及び安定した作物供給を行うことができるようになる。
【００５３】
また、本発明の請求項１１に記載のコントローラは、請求項５に記載のコントローラにおいて、前記コントローラが制御する被制御対象物はエアコンプレッサからなることを特徴としている。
【００５４】
エアコンプレッサの故障を監視する場合に、従来では一般的にエアコンプレッサの作動音を集音器で集音し、これをデシベル化してモデムと電話回線を介して中央監視装置に送っていたが、通信のための特別な配線を行うことはコストがかかり、かつこのような配線は防爆の要求を満たさなければならないことがあった。しかしながら、携帯端末を用いてエアコンプレッサのコントローラを制御することによって携帯端末を介してエアコンプレッサの集音データを中央監視装置に送ることができるので、このような特別な配線が一切不要となる。
【００５５】
それに伴って配線に関するコスト低減を図ることができる。また、従来行なわれていた無線機を用いて集音データを送る場合において、当該無線機の通信用チャンネルが限定されており、限定されたチャンネルの中で誤って違う緊急通信用のチャンネルを使うと当該緊急用通信用のチャンネルが肝心の時に使用できなくなったが、携帯端末によりデータを送受信することによって、このような問題も解消される。
【００５６】
更に、現場において携帯端末を介して診断すべきエアコンプレッサの数年前の集音データを中央監視センターから送信してもらうことができるので、新人のメンテナンス要員であっても現場で的確な故障診断を行うことができる。
【００５７】
また、本発明の請求項１２に記載のコントローラは、請求項１に記載のコントローラにおいて、前記コントローラが制御する被制御対象物は食洗器からなることを特徴としている。
【００５８】
一般に食器の出し入れを容易にするために厨房における食洗器の配置場所や配置高さは限定されている。また、コントローラ操作部は食洗器自体の機能上の障害とならずかつ操作し易い場所に配置しなければならないため、コントローラ自体の食洗器内の配置スペースも限定されている。
【００５９】
しかしながら、食洗器のコントローラ操作を携帯端末により行うことで、携帯端末によるワイヤレスの信号を受信する受信部だけを食洗器の最適な位置に設けていれば良くなるので、コントローラ自体の配置場所が限定されなくなる。そのため、食洗器自体の設計の自由度が向上し、食洗器自体の小型化を図ることも可能となる。
【００６０】
また、本発明の請求項１３に記載のコントローラは、請求項５に記載のコントローラにおいて、前記コントローラが制御する被制御対象物は、加熱型殺菌消毒器からなることを特徴としている。
【００６１】
加熱型殺菌消毒器も請求項１２に記載の食洗器と同様に設置場所や設置高さが限定され、コントローラ自体の配置スペースも制約を受ける。しかしながら、携帯端末によってコントローラを操作することで加熱型殺菌消毒器自体にワイヤレスによる制御信号の受信部のみを適所に設ければ良くなるので、コントローラの配置場所に関する制約が無くなり設計上の自由度が増す。
【００６２】
また、携帯端末を用いて中央管理センターから加熱型殺菌消毒器に入れる消毒対象物ごとの加熱パターンや殺菌パターンを携帯端末にダウンロードしてその加熱パターンや殺菌パターンに基づいてコントローラを制御することができるので、経験の少ない操作者であっても最適な消毒を行うことができる。
【００６３】
また、本発明の請求項１４に記載のコントローラは、請求項１に記載のコントローラにおいて、前記コントローラが制御する被制御対象物は加熱調理器であることを特徴としている。
【００６４】
被制御対象物である加熱調理器によって加熱する調理物は様々な調理物があり、例えばレストラン等において用いる業務用加熱調理器の場合、従来ではアルバイトの従業員が経験不足により適切な加熱パターンをコントローラに指示できず、加熱調理器自体を有効に活用することができなかった。しかしながら、携帯端末によって食品毎に適した最適な調理パターンをダウンロードすることで使い慣れた携帯端末を用いて加熱調理パターンを簡単に選択することができるようになる。
【００６５】
そのため、アルバイト等の従業員のようにコントローラの操作者が頻繁に入れ替わる場合であっても、常に品質の安定した調理物を提供することができる。従って、季節の変わる毎に調理メニューが季節物メニューとして大幅に変わり、かつアルバイトの従業員が頻繁に入れ替わるいわゆるファミリーレストラン等においても、常に美味しい料理を提供することができるようになる。
【００６６】
【発明の実施の形態】
以下、本発明の第１の実施形態にかかるコントローラ操作システムについて図面に基づき説明する。なお、以下の実施形態においては携帯端末として赤外線ポートを備えた携帯電話を利用しているが、実施形態の欄の最後に記載したように必ずしもこれに限定されるものではない。
【００６７】
本発明の第１の実施形態にかかるコントローラ操作システムは、図１に示すように複数の（図中４台の）小型ボイラ１１０Ａ〜１１０Ｄに接続されたボイラ用コントローラ１２０と、このボイラ用コントローラ１２０を赤外線によるワイヤレスで操作する携帯電話１４０とからなる。そして、携帯電話１４０は、図２に示すように、携帯電話回線を介してボイラ監視センター１５０及びボイラメンテナンス要員Ｍと無線で通信できるようになっている。
【００６８】
ボイラ用コントローラ１２０は、図１に示すように、各ボイラ１１０Ａ〜１１０Ｄをアプリケーションに応じて適切に台数制御を行う制御装置（ＣＰＵ）１２１と、ボイラ１１０の所定のパラメータ等を予め記憶したＲＯＭ１２２ａと、ボイラ１１０の運転状況を一時的に記憶することのできるＲＡＭ１２２ｂと、ＣＰＵ１２１に接続された赤外線通信部１２３と、赤外線通信部１２３に接続された赤外線投光部１２４ａ及び赤外線受光部１２４ｂ等を備えている。
【００６９】
一方、携帯電話１４０は携帯電話内部にＣＰＵ１４１と、携帯電話本来の機能を発揮するためのＲＯＭ１４２ａ及びＲＡＭ１４２ｂからなるメモリー１４２と、携帯電話１４０の音声又はデータを変換する変復調部１４５と、無線送受信部１４６と、ＣＰＵ１４１に接続された赤外線通信部１４３と、赤外線通信部１４３に接続された赤外線投光部１４４ｂ及び赤外線受光部１４４ａ等を備えている。また、この携帯電話１４０はＣＰＵ１４１にユーザーアプリケーションプログラム用メモリー１４７が接続され、ボイラ監視センター１５０のサーバー１５１から提供されるボイラ用コントローラ１２０の操作プログラムをこのユーザーアプリケーションプログラム用メモリー１４７にダウンロードできるようになっている。また、携帯電話１４０のＣＰＵ１４１にはアップロードしたボイラ運転データをプリンタ等外部機器に出力するためのシリアルＩ／Ｆ１４９が接続されている。
【００７０】
このような携帯電話１４０は、近年よく利用されるようになった例えばｉモード（登録商標）等のＷＥＢサイトからＪａｖａ（登録商標）等のアプリケーションプログラムをダウンロードし、これを実行する機能がサポートされた携帯電話１４０を使用している。即ち、ｉモードユーザーとして、ｉモードのＷＥＢサイトに接続して、この場合ボイラ１１０の操作に必要なアプリケーションプログラムをダウンロードしてインストールするようになっている。
【００７１】
アプリケーションのダウンロードは例えば以下の手順で行われる。最初にｉモードブラウザを使って必要なアプリケーションプログラムのダウンロードリンク先を決定する。この場合、ダウンロードリンク先は、ボイラ用コントローラ１２０の操作用プログラムを提供するリンク先である。そして、リンクをクリックしてインストール作業を開始する。これによってボイラ用コントローラ１２０の操作プログラムが携帯電話１４０のアプリケーションプログラム用メモリー１４７へダウンロードされる。また、サーバー１５１においてアプリケーションプログラムが適時更新されるようになっており、そのつど最新のボイラコントローラ操作用アプリケーションプログラムを適宜ダウンロードしてインストールすることができる。
【００７２】
これによって、ユーザーアプリケーションプログラム用メモリー１４７の中に、ボイラ用コントローラ１２０の操作用プログラムがインストールされ、赤外線ポートを有するタイプの携帯電話１４０をボイラ用コントローラ１２０の操作用リモコンとして使用することができるようになる。
【００７３】
この携帯電話１４０のリモコンとしての具体的な使用方法は以下の通りとなる。なお、携帯電話１４０をリモコンとして使用するに当たって、ユーザー認証を経てから操作することは言うまでもない。なお、ボイラ１１０の設定温度等については携帯電話１４０のテンキーやコマンドキーを介して全て入力可能となる。
【００７４】
具体的には、図３に示すコマンドナビゲーションキーＣＫやソフトキーＳＫ１、ソフトキーＳＫ２によりメニューを呼び出し、ダイヤルボタンを操作することで各種データのやり取りを行う。
【００７５】
なお、ボイラ１１０の加熱パターンは例えばアプリケーションに応じて違いがあるのが一般的である。即ち、繊維物の染め工程に関する運転プログラムや殺菌工程に関する運転プログラム、食品の製造に関する運転プログラム等、それぞれのアプリケーションに応じてボイラ運転パターンが異なっている。そのため、各アプリケーションに応じて予め決められたボイラ運転パターンをテンキーやコマンドキーで容易に選択できるようなプログラムをダウンロードするようになっている。これによって該当するアプリケーションをテンキーやコマンドキーで選択すれば、そのアプリケーションに応じた最適なボイラ１１０の運転パターンがボイラ１１０のコントローラ１２０に指示されるようになっている。
【００７６】
図４乃至図１０は、携帯電話１４０の画面に表示される内容を例示的に示したものである。図４はボイラの温度設定モードを選択した場合に表示される内容で、テンキーとコマンドキーとで設定温度を容易に入力することができる。図５は図４において温度を仮に７５°Ｃと設定した場合の携帯電話１４０の表示画面である。続いて、図６は入力した設定温度を確定するためのコマンド表示内容である。
【００７７】
また、携帯電話１４０のコマンドキーＣＫで現在温度表示モードを選択すると、図７に示す現在温度表示の指令内容に移行する。ここで、この表示内容に従うと、図８に示す現在温度（６８°Ｃ）が表示される。
【００７８】
図９は後述するボイラ運転データの後述するデータアップロードモードを選択した場合の表示内容を示している。この図に示すように特定のテンキーやコマンドキーを押すだけでデータアップロードを簡単に行うことができる。
【００７９】
図１０は、図９でデータアップロードを選択した場合の移行表示画面である。同図から分かるように、現在データアップロード中であることが一目で確認できる。
【００８０】
以上のように従来のリモコンで行っていた操作内容を全て携帯電話１４０の表示画面に表示させることで赤外線を介してコントローラ操作を容易に行えることが分かる。
【００８１】
なお、以下に説明する各実施形態にかかるコントローラ操作システムの携帯電話に表示内容は上述した表示内容と基本的画面構成が共通する。
【００８２】
上述の通り、携帯電話１４０をこのようにボイラ用コントローラ１２０のリモコンとして使用することによって、ボイラ１１０に接続されたコントローラ１２０の操作部１３０を図２に示すように極めて簡素な構成とすることができる。即ち、同図に示すようにボイラ用コントローラ１２０の操作部１３０は電源スイッチ１３１と赤外線投受光部１３２のみを備えており、これ以外の例えばテンキーやコマンドキーやボイラ運転微調整用スイッチは一切備えていない。従って、図２に二点鎖線で示す従来型のコントローラ操作部に較べてボイラコントローラ１２０の操作部１３０を極めてシンプルなものにすることができ、コントローラ操作部１３０の金型コストを格段に低減させることができる。
【００８３】
図１１（ａ）にはボイラ用コントローラ１２０の操作部１３０の代わりに従来の温度調節計のコントローラ操作部を示している。かかる従来型温度調節計のコントローラ操作部を本実施形態のような携帯電話１４０を利用したコントローラ操作システムに切り替えると、温度調節計のコントローラ操作部を図１１（ｂ）に示すように極めてシンプルにすることができる。
【００８４】
このことからも容易に推測できるように、本実施形態にかかるボイラコントローラ１２０の操作部１３０も従来型のボイラコントローラ操作部に較べて極めてシンプルかつ小型化できることが分かる。
【００８５】
また、携帯電話１４０は、図２に示すように携帯電話網を介してボイラ監視センター１５０と通信可能となっている。即ち、ボイラ監視センター１５０は携帯電話網を介してボイラ１１０のアプリケーションごとの最適な運転状態を記録したデータベース１５２や、過去の運転状況のうち最適な結果をもたらした運転状況を書き込むことのできるデータベース１５２を有している。そして、ボイラ１１０のサービス要員は、最適なボイラ１１０の運転制御ができた場合、携帯電話１４０を介してその運転データをボイラ監視センター１５０のデータベース１５２に共有データとして提供することができる。
【００８６】
このような共有データが蓄積されることによって、経験の少ないボイラサービス要員が現場においてボイラ運転を行う場合に、このボイラ監視センター１５０のデータベース１５２にアクセスして最適な運転パターンを携帯電話１４０のメモリー１４７にインストールし、赤外線投受光部１４４を介してこれをボイラコントローラ１２０に指示することができる。
【００８７】
また、ボイラ異常発生時には携帯電話１４０を介して巡回中のメンテナンス要員Ｍに迅速に連絡することができ、かかるメンテナンス要員Ｍが異常を発見したボイラ１１０の下にすぐに点検に行くことが可能となっている。
【００８８】
更には、携帯電話１４０のＲＡＭにボイラ１１０の運転データを一時的に記録し、この携帯電話１４０をメンテナンス要員Ｍがボイラ監視センター１５０に持ち帰ってボイラ１１０の運転用データベース１５２にシリアルＩ／Ｆ１４９（図１参照）を介して（携帯電話回線を介さずに）直接書き込んだり、持ち帰ったデータをその場でプリントアウトしたりすることも可能である。
【００８９】
このように携帯電話１４０をボイラコントローラ１２０のリモコンとして使用することで、経験の少ない新人のサービス要員やメンテナンス要員であっても、自分の使い慣れた携帯電話１４０を用いてボイラコントローラ１２０の操作方法を短期間で習熟することができるようになる。
【００９０】
一方、携帯電話１４０を介して、ボイラ１１０の運転状況等のデータをボイラ監視センター１５０とやりとりできるので、図２に二点鎖線で示すような従来の複雑な専用回線が必要なくなる。
【００９１】
従って、例えばボイラ増設時に新たに配線作業を行うとか各配線に応じてＲＳ４８５等と接続するためのＩ／Ｏポートを設ける必要がない。そのため、コストを抑えつつボイラの設備増設に容易に対応することができる。
【００９２】
また、携帯電話１４０を介してボイラ１１０の最適な運転データをボイラ監視センター１５０のデータベース１５２に簡単にストレージしておくことができるので、サービス要員が入れ替わって新人のサービス要員が配属されてもアプリケーション毎の最適なボイラ運転データを利用することができ、常に最適なボイラ１１０の運転操作と運転状況の監視を行うことが可能になる。
【００９３】
なお、携帯電話１４０は、図２に示すようにボイラ１１０の各サービス要員やメンテナンス要員が常に携帯していても良く、又はボイラコントローラ１２０に専用の携帯電話１４０を常時備え付けようにしておいても良い。なお、後者の場合は携帯電話１４０がボイラ１１０の運転データを赤外線を介して定期的に収集し、このデータを携帯電話１４０を介してボイラ監視センター１５０に定期的に送信することが可能である。
【００９４】
続いて、本発明の第２の実施形態にかかるコントローラ操作システムについて図面に基づき説明する。なお、本発明の第１の実施形態にかかるコントローラ操作システムと同様の構成については、対応する符号を付して詳細な説明を省略する。
【００９５】
本発明の第２の実施形態にかかるコントローラ操作システムは、農業用ハウス加温器のコントローラ操作システムに関するものである。このコントローラ操作システムは、図１２に示すように農業用ハウス加温器２１０に接続されてこれを制御するコントローラ２２０と、このコントローラ２２０と赤外線によるワイヤレス送受信を行う携帯電話２４０とを備えている。コントローラ２２０は、第１の実施形態にかかるコントローラ１２０と同様に被制御対象物である農業用ハウス加温器２１０を制御するＣＰＵ２２１と、当該ＣＰＵ２２１に接続されてハウス加温器２１０の制御に必要なデータの読み出し及び書き込みを行うＲＯＭ２２２ａとＲＡＭ２２２ｂからなるメモリー２２２と、ＣＰＵ２２１に接続された赤外線通信部２２３と、赤外線通信部２２３に接続された赤外線投受光部２２４等を備えている。
【００９６】
一方、本実施形態にかかる携帯電話２４０は、第１の実施形態にかかる携帯電話１４０と同様に、ＣＰＵ２４１と、ＣＰＵ２４１に接続されたＲＯＭ２４２ａとＲＡＭ２４２ｂからなるメモリー２４２と、同じくＣＰＵ２４１に接続された変復調部２４５と、変復調部２４５に接続されアンテナを介して無線通信を行うための無線送受信部２４６とを備えている。携帯電話２４０は更に、図１３に示す中央管理センター２５０のサーバー２５１からダウンロードされたユーザーアプリケーションプログラムを記憶するユーザーアプリケーションプログラム用メモリー２４７と、ＣＰＵ２４１に接続された赤外線通信部２４３と、赤外線通信部２４３に接続されコントローラ２２０とワイヤレス信号のやりとりを行う赤外線送受信部２４４とを備えている。なお、携帯電話２４０をリモコンとして使用するに当たってはユーザー認証を経て操作するようになっている。
【００９７】
そして、携帯電話２４０は、図１３に示すように、例えば農協などの中央管理センター２５０に設置されたサーバー２５１から農業用ハウス加温器コントローラ２２０のリモコン操作用プログラムをアプリケーションプログラムとして携帯電話内のユーザーアプリケーションプログラム用メモリー２４７にダウンロードできるようになっている。これによって携帯電話２４０を農業用加温器コントローラ２２０のリモコンとして使用することができるようになる。なお、このダウンロードに際しては、例えばｉモード（登録商標）を利用し、Ｊａｖａ（登録商標）等のプログラムをダウンロードするようになっている。
【００９８】
また、携帯電話２４０には作物毎の生育プログラムを上述のサーバー２５１からダウンロード可能となっており、生育する作物ごとに携帯電話２４０の特定のテンキーやコマンドキーを選択してその種類の作物に合った生育条件に合わせて加温器コントローラ２２０を制御することができるようになっている。
【００９９】
更には、携帯電話２４０には、付加的な機能として中央管理センター２５０から適切な作物出荷時期に合わせた最適な作物生育プログラムをダウンロードできるようになっている。これによって、当該農協の管轄する特定の地域内においてこの携帯電話２４０を利用する各農家に作物の需要と供給のバランスが保つように生産時期を調整した作物生育プログラムを提供することができる。
【０１００】
なお、図１３に二点鎖線で示す従来例のように農業用ハウス加温器コントローラと中央管理センター２５０とを特定の有線の電話回線でつなぐような構成では設備投資が非常にかかり、この様な専用回線接続を行う農家が少なかった。従って、加入者数が少ないが故にその地域における作物の適切な生産調整は不可能であった。しかしながら、本発明の第２の実施形態にかかるコントローラ操作システムを利用すれば、誰もが持っている携帯電話２４０をリモコンとして使うことができるので、加入者数が上述した従来の専用回線を設けた場合の加入者数に較べて極端に多くなる。
【０１０１】
従って、中央管理センター２５０が管轄する地域内における多数の農家がこの携帯電話を用いたコントローラ操作システムを利用することになり、その地域内における総農家のうちこの利用者の占める割合が非常に大きくなる。
【０１０２】
そのため、中央管理センター２５０から作物の適切な供給時期を各農家に個別かつ的確に指示することができ、これによって需要に対して供給が多すぎて作物の価格が暴落するとか需要に対して供給が追い付かず品不足となるようなことが無くなり、常に一定品質の作物を市場に長期間に亘って安定して供給することができるようになる。それによって、その地域における生産調整した作物のブランド名が高まり、その作物自体が高値で取引されるようになるという付加的なメリットも生じる。
【０１０３】
なお、赤外線ポート付き携帯電話２４０を農家の人が常に身につけておいて必要に応じて農業用ハウス加温器コントローラ２２０に近づけ、当該コントローラ２２０と赤外線で送受信しても良いが、特に収穫が近くなった時期においては専用の赤外線ポート付き携帯電話２４０を加温器コントローラ２２０の赤外線投受光部２２４の横に常設しておき、加温器２１０の温度が異常に上昇するとか下降するような場合に中央管理センター２５０に即座に異常発報を行うようにしても良い。一旦、このような異常状態を放置するとハウス内の作物全体が全く売れないような状態になって大損害を被ってしまうが、このような農業用加温器コントローラ操作システムで生育される作物は、加温器コントローラ２２０の異常時に迅速な異常発報を行なうことができるので、仮に加温器コントローラ２２０が故障した場合でもそれに伴う損失を最小限に抑えることができる。
【０１０４】
また、携帯電話２４０をリモコンとして用いることで、図１３に示すようにハウス加温器コントローラ２２０の操作部２３０を二点鎖線で示す従来型コントローラ操作部に較べて小型化でき、コントローラ自体の値段も廉価になり、低コストでかつ多機能のコントローラを農家に提供することができるようになる。
【０１０５】
なお、上述の実施形態とは異なりハウス加温器コントローラ操作システムを用いて例えばクリスマス用の花やカーネーション用の花の出荷等、特定の時期に出荷を集中させなければならない出荷形態においても、中央管理センター２５０のサーバー２５１から適切な時期に出荷できるような生育プログラムを携帯電話２４０にダウンロードし、この生育プログラムに基づきワイヤレスの赤外線送受信で加温器コントローラ２２０を操作することができる。更には、例えば魚の養殖等に本実施形態にかかるハウス加温器コントローラ操作システムを応用して魚の養殖の生産調整等に適用しても良い。
【０１０６】
図１４は従来型のハウス加温器コントローラの操作部（図１４（ａ））と本発明の第２の実施形態にかかるハウス加温器コントローラの操作部２３０（図１４（ｂ））を対比して示した図である。同図からも明らかなように携帯電話２４０を利用することで本発明にかかるハウス加温器コントローラの操作部２３０を極めてシンプルな構成にできることが分かる。また、携帯電話２４０を利用することで、操作者はコントローラ設置場所や設置高さに係わらず一定の姿勢でハウス加温器コントローラ２２０の制御を行うことができ、特に高齢者がハウス加温器コントローラ２２０の制御を行う場合などに無理な姿勢で行わずに済むので、その使い勝手が非常に良い。
【０１０７】
続いて、本発明の第３の実施形態にかかるコントローラ操作システムについて図面に基づいて説明する。なお、上述の実施形態にかかるコントローラ操作システムと同様の構成については、対応する符号を付して詳細な説明を省略する。
【０１０８】
本発明の第３の実施形態にかかるコントローラ操作システムはエアコンプレッサの台数制御を行うコントローラ操作システムに関するものである。なお、上述の実施形態にかかるコントローラ操作システムと同一の構成については、対応する符号を付して詳細な説明を省略する。
【０１０９】
本実施形態にかかるエアコンプレッサのコントローラ操作システムは、図１５に示すように、エアコンプレッサ３１０に接続されてこのエアコンプレッサ３１０を制御するコントローラ３２０と、このコントローラ３２０とワイヤレス送受信信号を赤外線で送受信する携帯電話３４０とを備えている。コントローラ３２０は、上述したコントローラ３２０と同様にＣＰＵ３２１、ＲＯＭ３２２ａとＲＡＭ３２２ｂからなるメモリー３２２、赤外線通信部３２３、及び赤外線通信部３２３に接続された赤外線投受光部３２４を備えている。一方、本実施形態にかかる携帯電話３４０は上述した携帯電話と同様にＣＰＵ３４１、ＲＯＭ３４２ａとＲＡＭ３４２ｂからなるメモリー３４２、変復調部３４５、変復調部３４５に無線通信を行う無線送受信部３４６、無線送受信部３４６を介して中央監視センター３５０のサーバー３５１からダウンロードしたユーザーアプリケーションプログラムを格納するメモリー３４７、ＣＰＵ３４１に接続された赤外線通信部３４３、及び赤外線通信部３４３に接続された赤外線投受光部３４４からなる。なお、携帯電話２４０をリモコンとして使用するに当たってはユーザー認証を経て操作するようになっている。
【０１１０】
そして、ユーザーアプリケーションプログラム用メモリー３４７には、上述の実施形態と同様に、携帯電話３４０を用いてこの携帯電話３４０をコントローラ操作用リモコンとして利用するためのアプリケーションプログラムをサーバー３５１からダウンロードできるようになっている。これによって操作者が使い慣れた携帯電話３４０のテンキーやコマンドキーを適当に選択することでエアコンプレッサ３１０の動作制御パターンを適宜選択することができるようになっている。従って、エアコンプレッサ３１０のコントローラ操作部３３０は、図１６に示すように単なる電源スイッチ３３１と赤外線投受光部３３２のみとなり、コントローラ操作部３３０の小型化・簡素化を図ることができると共に、コントローラ自体の金型が簡素化することでコスト低減に貢献する。また、各自が自分の使い慣れた携帯電話３４０を用いてコントローラ３２０を操作することができるので、経験の少ない操作者であってもコントローラ３２０の操作方法をすぐに習熟することができるようになる。更には、携帯電話３４０は常に身に付けていることが多いので紛失や破損の可能性が少なく、従来のように専用リモコンを紛失したり破損してしまい代替品を入手したり専用リモコンを見つけるのに時間を取られてしまうようなことが無くなる。
【０１１１】
続いて、本発明の第３の実施形態にかかるエアコンプレッサ用コントローラ操作システムの特有な作用について説明する。
【０１１２】
本実施形態にかかる携帯電話３４０は、上述したようにこれをリモコンとして使用するためのプログラムを中央監視センター３５０からダウンロード可能であると同時に、図１６に示すようにエアコンプレッサ３１０の故障診断も行うことが可能である。この故障診断方法は、エアコンプレッサ３１０の作動音をマイク３４１で集音し、この集音データを携帯電話３４０に一時的にストレージすると共にデジベル化して携帯電話３４０を介して中央監視センター３５０に無線送信することからなる。また、同一のエアコンプレッサ３１０の例えば１年前又は２年前の集音データを中央監視センター３５０のサーバー３５１から送ってもらい、これを現在の集音データと携帯電話３４０にダウンロードした診断プログラムを用いて比較することも可能である。これによって、従来のように予めエアコンプレッサ３１０ごとに過去の集音データの履歴を持ち歩かなくてすみ、特定のエアコンプレッサ３１０の診断時に当該エアコンプレッサ３１０に関する過去の集音データの履歴を中央監視センター３５０からその場で受信して故障診断を瞬時に行うことができるので、予め故障診断のための準備等に時間を費やす必要が無くなる。
【０１１３】
また、携帯電話３４０を用いて故障診断を行うので、従来のように無線機を用いて故障診断を行う必要が無いというメリットもある。即ち、従来のように無線機は緊急通信用や一般連絡用等にチャンネル指定がされており、利用できるチャンネル数が限定されていたため、緊急通信用のチャンネルを集音データの送信に間違えて使用してしまった場合に肝心の緊急通信用の発報が行えなくなるような不具合があった。しかしながら、本実施形態における故障診断の場合はいわゆる携帯電話３４０を用いるのでこのような問題が起こらない。
【０１１４】
なお、携帯電話３４０にストレージした集音データと過去の集音データの比較を、上述したように携帯電話自体にダウンロードした比較診断プログラムを用いて行う代わりに、その場で集音した集音データを中央監視センター３５０に携帯電話３４０を介して送信してここで診断を行っても良い。
【０１１５】
以上の特有の作用に加えて、従来においては、図１６に二点鎖線で示すようにエアコンプレッサ毎に中央監視センター３５０と有線の専用回線でつないで故障診断を行っていたが、携帯電話３４０を用いた本実施形態のコントローラ操作システムを採用することでこれらの配線が全く必要無くなる。それによって、防爆の要求を満たさなければならないような環境下での配線等、設備投資に関するコストが嵩む場合にかかるコストの低減に貢献する。その上、エアコンプレッサ３１０の増設等にもすぐに対応することができる。また、上述したエアコンプレッサ３１０の故障診断に関しては、単なるデータのやりとりをサーバー３５１と行うだけで的確な故障診断を行うことができるので、経験の少ないメンテナンス要員であっても現場で的確な故障診断を行うことが可能となる。
【０１１６】
続いて、本発明の第４の実施形態にかかるコントローラ操作システムについて図面に基づいて説明する。なお、上述の実施形態にかかるコントローラ操作システムと同等の構成については、対応する符号を付して詳細な説明を省略する。
【０１１７】
本実施形態にかかるコントローラ操作システムは、食洗器を制御するコントローラ操作システムに関するものである。本実施形態にかかるコントローラ操作システムは、図１７に示すように、食洗器４１０のコントローラ４２０と、この食洗器４１０のコントローラ４２０と赤外線を介してワイヤレスでリモコン操作可能な携帯電話４４０とからなる。
【０１１８】
コントローラ４２０は食洗器自体に設置され、上述したようにＣＰＵ４２１、ＲＯＭ４２２ａとＲＡＭ４２２ｂからなるメモリー４２２、赤外線通信部４２３、及び赤外線投受光部４２４を備えている。また、携帯電話４４０も、上述の実施形態と同様にＣＰＵ４４１、ＲＯＭ４４２ａとＲＡＭ４４２ｂからなるメモリー４４２、変復調部４４５、無線送受信部４４６、及びユーザーアプリケーションプログラム用メモリー４４７を備えている。そして、ＣＰＵ４４１には赤外線通信部４４３が接続され、赤外線投受光部４４４によりコントローラ４２０とワイヤレスで送受信が可能となっている。
【０１１９】
携帯電話４４０のユーザーアプリケーションプログラム用メモリー４４７には図１８に示すように、中央サービスセンター４５０のサーバー４５１からｉモード（登録商標）等のユーザーアプリケーションプログラムをダウンロード可能となっている。このユーザーアプリケーションプログラムは、食洗器４１０のコントローラ４２０を操作するためのプログラムである。即ち、携帯電話４４０のテンキーやコマンドキーを適時選択することによって、そのテンキーやコマンドキー毎に応じた洗浄プログラムを選択できるようになっている。例えば、木製でできた食器等の場合、食洗器内の洗浄水が余り高温にならないように制御したり、油で汚れた食器を洗浄する場合は洗剤による洗浄時間を長くしたりする等、食器の種類毎や汚れ具合いに応じて様々な洗浄パターンが選択できるようになっている。また、携帯電話２４０をリモコンとして使用するに当たってはユーザー認証を経て操作するようになっている。
【０１２０】
また、本実施形態にかかるコントローラ操作システムは、図１８に示すように、食器の種類や食器の汚れ具合いに応じた洗浄パターンに関するプログラムを自分の使い慣れた携帯電話４４０にサーバー４５１からダウンロードして自分の携帯電話４４０でコントローラ４２０を操作することができるので、例えばレストラン等において頻繁に入れ替わるアルバイトの店員が食洗器４１０を操作する場合に、その者の使い慣れた携帯電話４４０をリモコンとして使用することが可能となる。
【０１２１】
従って、使い難い専用リモコンを使い慣れるまで時間がかかったりすることがなく、また、専用リモコンの紛失や破損を避けることができる。従って、従来のように専用リモコンが紛失したり破損した場合に、専用リモコンを探したり再度入手したりする手間が省ける。
【０１２２】
また、図１８に示すように、食洗器４１０には二点鎖線で示す従来型の複雑な操作パネルを設置する必要が無く、単に電源スイッチ４３１と赤外線投受光部４３２のみを備えていれば良い。従って、食洗器内におけるコントローラ操作部４３０の占めるスペースを極端に小さくすることができ、食洗器４１０の小型化を図ることが可能となる。また、コントローラ自体の配置の自由度も食洗器内において高まり、食洗器自体の設計の自由度を向上させることができる。このように使い慣れた携帯電話４４０をリモコンとして使うことによって、従来の食洗器のようにメンブレンスイッチで構成された操作パネルを調理器具などで乱暴に操作してコントローラ操作部を破損させてしまうのを防ぐこともできる。
【０１２３】
続いて、本発明の第５の実施形態にかかるコントローラ操作システムについて図面に基づいて説明する。なお、上述の実施形態と同等の構成については対応する符号を付して詳細な説明を省略する。
【０１２４】
本実施形態にかかるコントローラ操作システムは、加熱型殺菌消毒器を制御するコントローラ操作システムに関するものである。このコントローラ操作システムは、図１９に示すように加熱型殺菌消毒器５１０に設置されたコントローラ５２０と、当該コントローラ５２０と赤外線でワイヤレス送受信を行う携帯電話５４０とからなる。そして、コントローラ５２０は、上述した実施形態と同様にＣＰＵ５２１、ＲＯＭ５２２ａとＲＡＭ５２２ｂからなるメモリー５２２、赤外線通信部５２３、及び赤外線投受光部５２４を備えている。また、携帯電話５４０はＣＰＵ５４１、ＲＯＭ５４２ａとＲＡＭ５４２ｂからなるメモリー５４２、変復調部５４５、無線送受信部５４６、及びユーザーアプリケーションプログラム用メモリー５４７を備えている。携帯電話５４０は更に、赤外線通信部５４３及び赤外線投受光部５４４を備えている。
【０１２５】
そして、携帯電話５４０のユーザーアプリケーションプログラムとして、携帯電話５４０を加熱型殺菌消毒器コントローラ５２０のリモコンとして利用可能とするプログラムの他に、図２０に示す中央管理センター５５０のサーバー５５１から様々な殺菌消毒パターンに関するプログラムを携帯電話５４０のアプリケーションプログラム用メモリー５４７にダウンロードできるようになっている。これによって殺菌消毒の対象物の種類に応じた適切な殺菌パターンを携帯電話５４０のテンキーやコマンドキーで選択することができ、最適な殺菌消毒が行えるようになる。
【０１２６】
また、上述した実施形態と同様に加熱型殺菌消毒器５１０におけるコントローラ操作部５３０は電源スイッチ５３１と赤外線投受光部５３２のみを備えていれば良いので、コントローラ操作部５３０が著しく小型化・簡素化する。そのため、加熱型殺菌消毒器自体の小型化も図ることができ、かつ加熱型殺菌消毒内におけるコントローラ５２０の設置場所の制約を受けなくて済む。
【０１２７】
また、例えばレストラン等において加熱型殺菌消毒器５１０を使用する場合に入れ替わりの激しいアルバイトの店員等が自分の使い慣れた携帯電話５４０をリモコンとして使うことができるので、加熱型殺菌消毒器自体の操作方法を短期間で習熟することができ、かつ慣れない専用リモコンを使うことによる専用リモコンの破損や紛失等を避けることができる。
【０１２８】
続いて、本実施形態に特有の作用について説明する。本実施形態にかかるコントローラ操作システムは、携帯電話５４０から中央管理センター５５０に加熱型殺菌消毒器５１０に関する加熱殺菌パターンの履歴を送るようなプログラムを携帯電話５４０のユーザーアプリケーションプログラム用メモリー５４７にダウンロードできるようになっている。これによって、加熱型殺菌消毒器５１０の使用履歴を中央管理センター５５０のサーバー内にストレージしておくことができ、例えば近年問題となっている食品の食中毒等が生じた場合に、この使用履歴をその店舗において殺菌消毒が確実に行われていることを立証できるデータとして使用することが可能となる。
【０１２９】
続いて、本発明の第６の実施形態にかかるコントローラ操作システムについて説明する。なお、上述の実施形態と同様な構成については対応する符号を付して詳細な説明を省略する。
【０１３０】
本実施形態にかかるコントローラ操作システムは加熱調理器のコントローラを操作するシステムに関するものである。本実施形態にかかる加熱調理器のコントローラ操作システムは、図２１に示すように、加熱調理器６１０に設置されたコントローラ６２０と、当該コントローラ６２０と赤外線を介してワイヤレスで送受信可能な携帯電話６４０を備えている。そして、コントローラ６２０は上述の実施形態と同様にＣＰＵ６２１、ＲＯＭ６２２ａとＲＡＭ６２２ｂからなるメモリー６２２、赤外線通信部６２３、赤外線投受光部６２４を備えている。また、携帯電話６４０は、ＣＰＵ６４１、ＲＯＭ６４２ａとＲＡＭ６４２ｂからなるメモリー６４２、変復調部６４５、無線送受信部６４６、及びユーザーアプリケーションプログラム用メモリー６４７を備えている。また、携帯電話６４０は赤外線通信部６４３及び赤外線投受光部６４４を備え、コントローラ６２０とのワイヤレス通信を可能としている。
【０１３１】
そして、携帯電話６４０のユーザーアプリケーションプログラム用メモリー６４７には、図２２に示すように中央サービスセンター６５０のサーバー６５１から例えばｉモード（登録商標）等のユーザーアプリケーションプログラムをＪａｖａ（登録商標）等のプログラムを介してダウンロードできるようになっている。
【０１３２】
そして、本実施形態の場合、携帯電話６４０を加熱調理器用コントローラ６２０の操作用リモコンとして使用するプログラムの他に、加熱調理器６１０によって調理する料理の種類に応じた調理パターンをサーバー６５１からダウンロードすることが可能となっている。これによって操作者は加熱調理器６１０に入れた料理の最適な調理パターンを自分の使い慣れた携帯電話６４０のテンキーやコマンドキーで選択することで最適な調理を行うことが可能となる。なお、携帯電話２４０をリモコンとして使用するに当たってはユーザー認証を経て操作することは言うまでもない。
【０１３３】
従って、例えば加熱調理器６１０をレストラン等の業務用の厨房に設置した場合、頻繁に入れ替わるアルバイトの店員等が加熱調理器６１０を使って調理しようとする場合、従来のように専用リモコンの操作方法を習熟するために特別な時間をかける必要が無くなる。即ち、専用リモコンのマニュアル等を見ながら加熱調理を行うことなく、自分の使い慣れた携帯電話６４０のテンキーやコマンドキーを押すことで最適な調理パターンを選択することができるようになる。
【０１３４】
また、上述の実施形態と同様に加熱調理器６１０に占めるコントローラ操作部６３０は電源スイッチ６３１と赤外線投受光部６３２のみを設けていれば良いので、二点鎖線で示す従来型のコントローラ操作部を操作に適した特別な場所に設置する必要はない。そのため、コントローラ自体を加熱調理器内の適当なスペースに設置することができ、加熱調理器自体の小型化も図ることができる。
【０１３５】
続いて、本実施形態に特有な作用について説明する。例えば、加熱調理器６１０をレストラン等の業務用の厨房に設置した場合、レストランは季節毎に決まったメニューを提供することが多いが、この季節の変わりの変わり目毎に中央サービスセンター６５０のサーバー６５１からその季節に応じた調理メニューの調理パターンを携帯電話６４０にダウンロードすることができる。これによって、慣れないアルバイトの新人店員等であっても季節毎にそれに応じた調理パターンをサーバー６５１から自分の携帯電話６４０に簡単にダウンロードして、その者の携帯電話６４０で加熱調理器６１０のコントローラ６２０を操作できる。これによって最適に調理された料理を短時間で確実に提供することができると共に、そのようなアルバイトの店員の教育にかける時間を短縮化することができる。
【０１３６】
また、加熱調理器６１０のコントローラに中央サービスセンター６５０との間で図２２に二点鎖線で示す有線の専用回線によって結線する必要がないので、レストランの厨房等における結線作業等のコストを省くことができると共に、常に水気にさらされる厨房内でのモデム電源等の漏電等の危険性を低減することができる。
【０１３７】
以上の説明内容においては、赤外線投受光部を介してワイヤレスで携帯電話とコントローラ間との通信を行う点について記載したが、必ずしもこれに限定する必要はない。従って、通信手段として近距離を非接触で通信できるものであればいかなるものを利用しても良く、ＲＦ−ＩＤ、１０ｍ程度の近距離無線通信のインターフェース規格であるブルートゥース、２．４ＧＨｚ帯の電波を使った無線ＬＡＮであるＨｏｍｅ  ＲＦ、その他の無線ＬＡＮの標準的な規格として知られるＩＥＥＥ８０２．１１等のいかなる送受信手段を使用することも可能である。
【０１３８】
また、上述の実施形態においては携帯端末として携帯電話を記載したが、必ずしもこれに限定されずＰＨＳ（Ｐｅｒｓｏｎａｌ  Ｈａｎｄｙｐｈｏｎｅ  Ｓｙｓｔｅｍ）のような携帯端末であれば広く利用できる。
【０１３９】
【発明の効果】
以上説明したように、本発明の請求項１に記載のコントローラ、及び本発明の請求項２に記載の携帯端末、並びに本発明の請求項３に記載のコントローラ操作システムは、ユーザーアプリケーションプログラムをダウンロード可能な携帯端末に被制御対象物を制御するコントローラの操作プログラムをダウンロードしてこの携帯端末で当該コントローラを操作するようにしたものである。
【０１４０】
従来、被制御対象物自体の高機能をコントローラに発揮させるために大型かつ複雑な操作表示部を当該コントローラに設けていたが、本発明によるとコントローラの操作を携帯端末で行うことができるので、これらの複雑かつ大型化したコントローラ操作部を被制御対象物に設ける必要がなくなる。
【０１４１】
即ち、被制御対象物には携帯端末から発信されたワイヤレス信号の受信部を少なくとも有していれば良いので、コントローラ自体を被制御対象物のどのような場所にでも配置できるようになり、コントローラ配置上の制約を受けなくて済む。そのため、被制御対象物の設計の自由度が向上する。
【０１４２】
また、複雑なコントローラ操作部を被制御対象物に備えなくて良いので、コントローラ製作上の金型コストを低減することができる。また、コントローラ製造依頼に対して短納期で製品を納品することができるようになる。
【０１４３】
また、コントローラを操作する専用リモコンを用いず携帯端末によりコントローラを操作するので、被制御対象物の製造メーカーごとに専用品である独自のリモコンを製造しなくて済み、リモコン製造に要する金型コストを省くことができる。
【０１４４】
また、従来のように専用品であるリモコンの操作に慣れるまで時間を要することがなくなる。即ち、携帯電話は一般に広く普及しており、各自が使い慣れた自分の携帯端末を用いてコントローラを操作することができるので、専用リモコンの操作方法を覚える必要がなく、コントローラの操作方法も短期間で習熟することができるようになる。また、コントローラの操作者が頻繁に入れ替える環境下においてもコントローラの操作方法や専用リモコンの操作方法を教育する時間を短縮することができる。
【０１４５】
また、専用リモコンを紛失することがなくなり当該専用リモコンを探すような手間を省くことができる。更に、専用リモコンを破損した場合に代替品を入手するまで慣れないコントローラ操作部自体の操作を行う必要が無くなり、その上、代替品を購入するコストを省くこともできる。
【０１４６】
また、本発明の請求項４に記載のコントローラは、極めて簡素なコントローラ操作部を備えながら携帯端末を介して多機能のコントローラ操作を行うことができる。また、シンプルなコントローラ操作部であるのでコントローラ自体に関する製造金型のコスト低減を図ると共に、被制御対象物内におけるコントローラ配置の自由度が高まり、被制御対象物の小型化を達成できる。
【０１４７】
また、本発明の請求項５に記載のコントローラは、コントローラが携帯端末に被制御対象物の運転状況をワイヤレスで送信することができるので、被制御対象物の運転状況を確実に判断することができる。また、コントローラと監視装置との間を配線する必要がなく、かつモデム等を介して特別な電話回線で接続する必要もない。従って、設備設置のコスト低減に貢献することが可能である。
【０１４８】
また、本発明の請求項６に記載の携帯端末は、携帯端末がコントローラの被制御対象物の運転状況に関するデータをストレージすることができるので、被制御対象物の状態を常に正確に診断することができ、かつ被制御対象物の最適な運転状況と比較することも可能となり、経験の少ないメンテナンス要員であっても正確な故障診断を行うことができるようになる。
【０１４９】
また、本発明の請求項７に記載の携帯端末は、携帯端末が被制御対象物の運転状況に関する運転データを送信することができるようになっているので、このような運転状況に関するデータを中央監視装置等に送り、故障診断に役立てることができる。
【０１５０】
また、本発明の請求項８に記載の携帯端末は、携帯端末が被制御対象物の異常時の運転状況に関する運転データを特定の運転状況監視サーバーに送信することができるので、被制御対象物の異常発生を迅速に判断することができる。
【０１５１】
また、本発明の請求項９に記載のコントローラは、被制御対象物がボイラからなるので、携帯端末を介してボイラのコントローラを操作することができ、ボイラを設置するに当たってボイラ自体の省配線化を図ることが可能となる。即ち、従来、ボイラと中央監視センターとの間をＲＳ４８５などの配線によって接続していたが、携帯端末を利用することによってボイラの運転状況を携帯端末のワイヤレス送受信機能を介して中央監視センターに送ることができ、ＲＳ４８５等の配線やこれに関する接続部分を特別に設ける必要がなくなる。
【０１５２】
また、ボイラの複数台数制御を行うに当たって、例えば設備の増設に応じてボイラの台数を増やす場合などに監視回線の特別な追加配線を行う必要がなく、ボイラの台数増設に容易に対応することができる。
【０１５３】
更に、携帯端末によってボイラの運転状況を中央監視センターに容易に送ることができ、これによってボイラのメンテナンス要員やサービス要員が経験不足であってもボイラの故障診断等を容易に行うことができる。
【０１５４】
また、ボイラのアプリケーション毎の温度設定等に関する運転データを中央監視センターから携帯端末を介して受信することができ、かつその受信したデータをワイヤレスで携帯端末からコントローラに送ることができる。それによって、経験不足の者であってもアプリケーションごとに最適な運転データをボイラのコントローラに指示することができる。
【０１５５】
また、本発明の請求項１０に記載のコントローラは、コントローラがハウス加温器コントローラの場合、従来のようにハウス加温器コントローラをモデムや電話回線等を介して中央管理センターに接続する必要がない。即ち、加温器を管理する専用の電話回線が不要となり、これに関する設備投資上のコスト低減に貢献する。
【０１５６】
また、ハウス加温器コントローラの設定温度等のスケジュール管理データを携帯端末からハウス加温器にワイヤレスで送信することができるので、例えば農協などに設置された中央管理センターからデータを収集することで作物の最適出荷時期に応じた作物生育に関する最適なスケジュール管理が可能となる。更に、誰もが使い慣れた携帯端末を介してハウスの加温器コントローラを制御できるので、このようなシステムを導入する農家が急速に増え、従来のように専用の電話回線を介して生産調整を行っていた農家の数に比べて生産調整を行う農家の数を急激に増やし、作物の生産調整を更にやり易くする。これによって、例えば農協等が作物の需要と供給のバランスを検討しながら最適な出荷時期を各農家に割り振ることができ、地域の作物の品質向上及び安定した作物供給を行うことができるようになる。
【０１５７】
また、本発明の請求項１１に記載のコントローラはエアコンプレッサのコントローラに関するものである。エアコンプレッサの故障を監視する場合に、従来では一般的にエアコンプレッサの作動音を集音器で集音し、これをデシベル化してモデムと電話回線を介して中央監視装置に送っていた。このように通信のための特別な配線を行うことはコストがかかり、かつこのような配線は防爆の要求を満たさなければならないことがあったが、携帯端末を用いてエアコンプレッサのコントローラを制御することによって携帯端末を介してエアコンプレッサの集音データを中央監視装置に送ることができるので、このような特別な配線が一切不要となる。
【０１５８】
それに伴って配線に関するコスト低減を図ることができる。また、従来行なわれていた無線機を用いて集音データを送る場合において、当該無線機の通信用チャンネルが限定されており、限定されたチャンネルの中で誤って違う緊急通信用のチャンネルを使うと当該緊急用通信用のチャンネルが肝心の時に使用できなくなったが、携帯端末によりデータを送受信することによって、このような問題も解消される。
【０１５９】
更に、現場において携帯端末を介して診断すべきエアコンプレッサの数年前の集音データを中央監視センターから送信してもらうことができるので、新人のメンテナンス要員であっても現場で的確な故障診断を行うことができる。
【０１６０】
また、本発明の請求項１２に記載のコントローラは食洗器のコントローラに関するものである。一般に食器の出し入れを容易にするために厨房における食洗器の配置場所や配置高さは限定されている。また、コントローラ操作部は食洗器自体の機能上の障害とならずかつ操作し易い場所に配置しなければならないため、コントローラ自体の食洗器内の配置スペースも限定されている。
【０１６１】
しかしながら、食洗器のコントローラ操作を携帯端末により行うことで、携帯端末によるワイヤレスの信号を受信する受信部だけを食洗器の最適な位置に設けていれば良くなるので、コントローラ自体の配置場所が限定されなくなる。そのため、食洗器自体の設計の自由度が向上し、食洗器自体の小型化を図ることも可能となる。
【０１６２】
また、本発明の請求項１３に記載のコントローラは加熱型殺菌消毒器のコントローラに関するものである。加熱型殺菌消毒器も請求項１２に記載の食洗器と同様に設置場所や設置高さが限定され、コントローラ自体の配置スペースも制約を受ける。しかしながら、携帯端末によってコントローラを操作することで加熱型殺菌消毒器自体にワイヤレスによる制御信号の受信部のみを適所に設ければ良くなるので、コントローラの配置場所に関する制約が無くなり、設計上の自由度が増す。
【０１６３】
また、携帯端末を用いて中央管理センターから加熱型殺菌消毒器に入れる消毒対象物ごとの加熱パターンや殺菌パターンを携帯端末にダウンロードしてその加熱パターンや殺菌パターンに基づいてコントローラを制御することができるので、経験の少ない操作者であっても最適な消毒を行うことができる。
【０１６４】
また、本発明の請求項１４に記載のコントローラは加熱調理器に関するコントローラである。被制御対象物である加熱調理器によって加熱する調理物は様々な調理物があり、例えばレストラン等において用いる業務用加熱調理器の場合、従来ではアルバイトの従業員が経験不足により適切な加熱パターンをコントローラに指示できず、加熱調理器自体を有効に活用することができなかった。しかしながら、携帯端末によって食品毎に適した最適な調理パターンをダウンロードすることで使い慣れた携帯端末を用いて加熱調理パターンを簡単に選択することができるようになる。
【０１６５】
そのため、アルバイト等の従業員のようにコントローラの操作者が頻繁に入れ替わる場合であっても、常に品質の安定した調理物を提供することが可能となる。従って、季節の変わる毎に調理メニューが季節物メニューとして大幅に変わり、かつアルバイトの従業員が頻繁に入れ替わるいわゆるファミリーレストラン等においても、常に美味しい料理を提供することが可能となる。
【図面の簡単な説明】
【図１】本発明の第１の実施形態にかかるボイラ用コントローラ操作システムのボイラ、コントローラ、及びリモコンとして使用する携帯電話を記載した概略ブロック構成図である。
【図２】本発明の第１の実施形態にかかるボイラ用コントローラ操作システム全体を示した概略構成図である。
【図３】本発明の第１の実施形態にかかるボイラ用コントローラ操作システムに使用する携帯電話の一例を示す図である。
【図４】図３に示す携帯電話を用いてボイラの温度設定を行う際の初期画面を示す図である。
【図５】図４に示す初期画面において温度設定を行った場合の画面表示を示す図である。
【図６】図５に示した表示画面に続く設定温度の確定表示画面を示す図である。
【図７】図３に示す携帯電話を用いてボイラの現在温度を表示させる際の初期画面を示す図である。
【図８】図７に示す初期画面において現在温度の表示を行った場合の画面表示を示す図である。
【図９】図３に示す携帯電話を用いてボイラ用コントローラに蓄積されたデータのアップロードを行う際の初期画面を示す図である。
【図１０】図９に示した初期画面に続く画面を示す図である。
【図１１】本発明の第１の実施形態にかかるボイラ用コントローラ操作部が如何に簡略化したかを温調計の操作パネルを用いて説明する図である。
【図１２】本発明の第２の実施形態にかかる農業用ハウス加温器用コントローラ操作システムのハウス加温器、コントローラ、及びリモコンとして使用する携帯電話を示した概略ブロック構成図である。
【図１３】本発明の第２の実施形態にかかる農業用ハウス加温器用コントローラ操作システム全体を示した概略構成図である。
【図１４】本発明の第２の実施形態にかかる農業用ハウス加温器用コントローラの操作パネルを従来の操作パネルと対比して示した図である。
【図１５】本発明の第３の実施形態にかかるエアコンプレッサ用コントローラ操作システムのエアコンプレッサ、コントローラ、及びリモコンとして使用する携帯電話を示した概略ブロック構成図である。
【図１６】本発明の第３の実施形態にかかるエアコンプレッサ用コントローラ操作システム全体を示した概略構成図である。
【図１７】本発明の第４の実施形態にかかる食洗器用コントローラ操作システムの食洗器、コントローラ、及びリモコンとして使用する携帯電話を示した概略ブロック構成図である。
【図１８】本発明の第４の実施形態にかかる食洗器用コントローラ操作システム全体を示した概略構成図である。
【図１９】本発明の第５の実施形態にかかる加熱型殺菌消毒器用コントローラ操作システムの加熱型殺菌消毒器、コントローラ、リモコンとして使用する携帯電話を示した概略ブロック構成図である。
【図２０】本発明の第５の実施形態にかかる加熱型殺菌消毒器用コントローラ操作システム全体を示した概略構成図である。
【図２１】本発明の第６の実施形態にかかる加熱調理器用コントローラ操作システムの加熱調理器、コントローラ、及びリモコンとして使用する携帯電話を示した概略ブロック構成図である。
【図２２】本発明の第６の実施形態にかかる加熱調理器用コントローラ操作システム全体を示した概略構成図である。
【符号の説明】
１１０Ａ〜１１０Ｄ    ボイラ
１２０〜６２０    コントローラ
１２１〜６２１    ＣＰＵ
１２２ａ〜６２２ａ    ＲＯＭ
１２２ｂ〜６２２ｂ    ＲＡＭ
１２３〜６２３    赤外線通信部
１２４ａ〜６２４ａ    赤外線投光部
１２４ｂ〜６２４ｂ    赤外線受光部
１４０〜６４０    携帯電話
１４１〜６４１    ＣＰＵ
１４２〜６４２    メモリー
１４２ａ〜６４２ａ    ＲＯＭ
１４２ｂ〜６４２ｂ    ＲＡＭ
１４３〜６４３    赤外線通信部
１４４ａ〜６４４ａ    赤外線受光部
１４４ｂ〜６４４ｂ    赤外線投光部
１４５〜６４５    変復調部
１４６〜６４６    無線送受信部
１４７〜６４７    メモリー
１５０    ボイラ監視センター
１５１〜６５０    サーバー
２１０    農業用ハウス加温器
２５０    中央管理センター
３１０    エアコンプレッサ
３３０〜６３０    コントローラ操作部
３３１〜６３１    電源スイッチ
３３２〜６３２    赤外線投受光部
３５０    中央監視センター
４１０    食洗器
４５０    中央サービスセンター
５１０    加熱型殺菌消毒器
５５０    中央管理センター
６１０    加熱調理器
６５０    中央サービスセンター
Ｍ    ボイラメンテナンス要員
【図１】
2004241993.tif 000003
【図２】
2004241993.tif 000004
【図３】
2004241993.tif 000005
【図４】
2004241993.tif 000006
【図５】
2004241993.tif 000007
【図６】
2004241993.tif 000008
【図７】
2004241993.tif 000009
【図８】
2004241993.tif 000010
【図９】
2004241993.tif 000011
【図１０】
2004241993.tif 000012
【図１１】
2004241993.tif 000013
【図１２】
2004241993.tif 000014
【図１３】
2004241993.tif 000015
【図１４】
2004241993.tif 000016
【図１５】
2004241993.tif 000017
【図１６】
2004241993.tif 000018
【図１７】
2004241993.tif 000019
【図１８】
2004241993.tif 000020
【図１９】
2004241993.tif 000021
【図２０】
2004241993.tif 000022
【図２１】
2004241993.tif 000023
【図２２】
2004241993.tif 000024